(57)【要約】【課題】放水装置を用いて容器の中に水を貯める場合、ユーザが放水装置をその容器に対して固定し続ける必要がない放水装置を提供する。【解決手段】上体部１２０とハンドル部１４０とからなる放水装置１００のハンドル部１４０に放水装置固定用フランジ１４３を形成する。上体部１２０と放水装置固定用フランジ１４３との間に形成される空間に容器１５０の縁部１５１を差し入れることにより、放水口１２１を容器１５０の内部に向けた状態で放水装置１００を容器１５０に対して固定することができる。【選択図】図１
0003133264.tif 000002
【実用新案登録請求の範囲】
【請求項１】
放水口が形成されている上体部と、前記上体部と連続して形成されているハンドル部と、からなる放水装置であって、
前記ハンドル部には、前記放水口からの放水を開始または停止させる放水開始・停止ボタンと、水源に接続されているホースが接続されるホース接続部とが形成されており、
前記ハンドル部には、前記上体部と前記放水開始・停止ボタンとの間において、前記上体部との間に間隔を空けて、前記上体部と平行に、前記上体部が延びる方向に延びる放水装置固定用フランジが形成されており、
前記放水装置は、上面が開口している容器の前記上面を形成する縁部を前記上体部と前記放水装置固定用フランジとの間に形成される空間に差し込むことにより、前記放水口を前記容器の中に向けた状態で前記容器に対して固定されるものである放水装置。
【請求項２】
放水口が形成されている上体部と、前記上体部と連続して形成されているハンドル部と、からなる放水装置であって、
前記ハンドル部には、前記放水口からの放水を開始または停止させる放水開始・停止ボタンと、水源に接続されているホースが接続されるホース接続部とが形成されており、
前記上体部には放水装置固定用フランジが形成されており、
前記放水装置固定用フランジは、前記ハンドル部が前記上体部から延びる方向とは反対方向に前記上体部から延びる第一部分と、前記第一部分から前記上体部と平行に、前記上体部が延びる方向に延びる第二部分と、からなり、
前記放水装置は、上面が開口している容器の前記上面を形成する縁部を前記上体部と前記第二部分との間に形成される空間に差し込むことにより、前記放水口を前記容器の中に向けた状態で前記容器に対して固定されるものである放水装置。
【請求項３】
前記放水装置固定用フランジは前記ハンドル部または前記上体部に対して取り外し可能に取り付けられていることを特徴とする請求項１または２に記載の放水装置。
【請求項４】
前記放水装置固定用フランジは、前記ハンドル部に取り付けられた基端から先端に向かうのに伴って幅広になるものであることを特徴とする請求項１または３に記載の放水装置。
【請求項５】
前記第二部分は、前記第一部分から先端に向かうのに伴って幅広になるものであることを特徴とする請求項２または３に記載の放水装置。
【考案の詳細な説明】
【技術分野】
【０００１】
本考案は放水装置に関する。
【背景技術】
【０００２】
これまでに各種の放水装置が提案されている。放水装置は、ホースを介して水源（例えば、水道の蛇口）と接続することにより、水源から供給される水を、例えば、容器の中に貯めたり、あるいは、周囲に散水したりする装置である。放水装置には、水の供給を開始または停止するためのボタンが形成されており、ユーザの意に応じて自在に水の供給の開始または停止を行うことができるようになっている。
【考案の開示】
【考案が解決しようとする課題】
【０００３】
従来の放水装置を用いて容器（例えば、バケツ）の中に水を貯める場合、水がその容器の中に確実に入るように、ユーザは放水装置をその容器に対して固定しなければならなかった。
【０００４】
特に、容器が大容量である場合には、その容器に水を貯めるまでに長時間を要する。その間、ユーザは放水装置を容器に対して固定し続けなければならず、甚だしい時間のロスを強いられていた。
【０００５】
本考案は以上のような問題点に鑑みてなされたものであり、放水装置を用いて容器の中に水を貯める場合、ユーザが放水装置をその容器に対して固定し続ける必要がない放水装置を提供することを目的とする。
【課題を解決するための手段】
【０００６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００７】
上記の目的を達成するため、本考案は、放水口（１２１）が形成されている上体部（１２０）と、前記上体部（１２０）と連続して形成されているハンドル部（１４０）と、からなる放水装置（１００）であって、前記ハンドル部（１４０）には、前記放水口（１２１）からの放水を開始または停止させる放水開始・停止ボタン（１４１）と、水源に接続されているホース（１３０）が接続されるホース接続部（１４２）とが形成されており、前記ハンドル部（１４０）には、前記上体部（１２０）と前記放水開始・停止ボタン（１４１）との間において、前記上体部（１２０）との間に間隔を空けて、前記上体部（１２０）と平行に、前記上体部（１２０）が延びる方向に延びる放水装置固定用フランジ（１４３）が形成されており、前記放水装置（１００）は、上面が開口している容器（１５０）の前記上面を形成する縁部（１５１）を前記上体部（１２０）と前記放水装置固定用フランジ（１４３）との間に形成される空間に差し込むことにより、前記放水口（１２１）を前記容器（１５０）の中に向けた状態で前記容器（１５０）に対して固定されるものである放水装置（１００）を提供する。
【０００８】
本考案は、さらに、放水口（１２１）が形成されている上体部（１２０）と、前記上体部（１２０）と連続して形成されているハンドル部（１４０）と、からなる放水装置（２００）であって、前記ハンドル部（１４０）には、前記放水口（１２１）からの放水を開始または停止させる放水開始・停止ボタン（１４１）と、水源に接続されているホース（１３０）が接続されるホース接続部（１４２）とが形成されており、前記上体部（１２０）には放水装置固定用フランジ（２１０）が形成されており、前記放水装置固定用フランジ（２１０）は、前記ハンドル部（１４０）が前記上体部（１２０）から延びる方向とは反対方向に前記上体部（１２０）から延びる第一部分（２１１）と、前記第一部分（２１１）から前記上体部（１２０）と平行に、前記上体部（１２０）が延びる方向に延びる第二部分（２１２）と、からなり、前記放水装置（２００）は、上面が開口している容器（１５０）の前記上面を形成する縁部（１５１）を前記上体部（１２０）と前記第二部分（２１２）との間に形成される空間に差し込むことにより、前記放水口（１２１）を前記容器（１５０）の中に向けた状態で前記容器（１５０）に対して固定されるものである放水装置（２００）を提供する。
【０００９】
前記放水装置固定用フランジ（１４３）は前記ハンドル部（１４０）または前記上体部（１２０）に対して取り外し可能に取り付けられていることが好ましい。
【００１０】
前記放水装置固定用フランジ（１４３）は、前記ハンドル部（１４０）に取り付けられた基端（１４３ａ）から先端（１４３ｂ）に向かうのに伴って幅広になるものであることが好ましい。
【００１１】
前記第二部分（２１２）は、前記第一部分（２１１）から先端に向かうのに伴って幅広になるものであることが好ましい。
【考案の効果】
【００１２】
本考案に係る放水装置は、上体部と放水装置固定用フランジとの間に形成される空間内に容器の縁部を差し込むことにより、放水口を容器の内部に向けた状態で容器に対して固定することができる。このため、本考案に係る放水装置によれば、ユーザは、放水装置を容器に対して固定し続ける必要性はなく、単に本考案に係る放水装置を容器の縁部に係合させておくことにより、放水口から放水される水は自動的に容器の中に貯められる。このため、ユーザは放水装置を容器に対して固定し続けておく時間的ロスを回避することができる。
【考案を実施するための最良の形態】
【００１３】
（第一の実施形態）
図１は、本考案の第一の実施形態に係る放水装置１００の使用状態を示す側面図（容器に関しては断面図）である。
【００１４】
図１に示すように、本実施形態に係る放水装置１００は、上体部１２０と、上体部１２０と連続して形成されているハンドル部１４０と、から形成されている。
【００１５】
ハンドル部１４０はユーザが放水装置１００を保持するための把手を形成している部位である。
【００１６】
ハンドル部１４０は、上体部１２０に対して、鈍角をなすように形成されている。
【００１７】
上体部１２０の先端には放水口１２１が形成されている。後述する水源から供給された水は放水装置１００の内部を通って放水口１２１から外部に放水される。
【００１８】
ハンドル部１４０には、放水口１２１からの放水を開始または停止させる放水開始・停止ボタン１４１が設けられている。放水開始・停止ボタン１４１を押し続けることにより、放水口１２１から水が放水される。放水開始・停止ボタン１４１から手を離すと、内臓されているバネの力により、放水開始・停止ボタン１４１は当初の位置（図１に示す位置）に復帰し、放水口１２１からの水の放水は停止する。
【００１９】
さらに、ハンドル部１４０には、放水装置１００にホース１３０を接続するためのホース接続部１４２が形成されている。放水装置１００は、ホース接続部１４２を介して、水源（例えば、水道の蛇口）に接続され、水源から供給された水はホース１３０を介して放水装置１００に到達する。
【００２０】
ハンドル部１４０には、上体部１２０と放水開始・停止ボタン１４１との間において、放水装置固定用フランジ１４３が形成されている。放水装置固定用フランジ１４３は、上体部１２０から離れて、すなわち、上体部１２０との間に間隔を空けて、上体部１２０と平行に、さらに、上体部１２０が延びる方向と同一の方向に延びている。
【００２１】
放水装置固定用フランジ１４３はハンドル部１４０と一体的に形成されている。
【００２２】
図２は放水装置固定用フランジ１４３の平面図である。
【００２３】
図２に示すように、放水装置固定用フランジ１４３は矩形形状をなしている。
【００２４】
以下、図１を参照して、本実施形態に係る放水装置１００の使用方法を説明する。
【００２５】
図１に示す容器１５０に対して本実施形態に係る放水装置１００を固定する場合を想定する。
【００２６】
容器１５０は上面が開口しており、この上面の開口部は縁部１５１により画定されている。図１に示すように、縁部１５１は、容器１５０の側壁１５２の上端から外側に水平に延びる第一部分と、第一部分の先端から下方に延びる第二部分と、から形成されており、全体として、逆Ｕ字型形状に近い形状をなしている。
【００２７】
本実施形態に係る放水装置１００を容器１５０に対して固定する場合には、上体部１２０と放水装置固定用フランジ１４３との間に形成される空間内に縁部１５１を差し込む。この結果、図１に示すように、縁部１５１は上体部１２０の下面と放水装置固定用フランジ１４３の上面とにおいてそれぞれ接触する。
【００２８】
放水装置１００には、縁部１５１が上体部１２０の下面と接触している点を中心として、放水装置１００を時計方向に回転させようとするモーメントＲ（放水装置１００の自重に基づくモーメント）が作用するが、放水装置固定用フランジ１４３が縁部１５１（より正確には、第二部分の下端）に当接するため、あるいは、放水装置固定用フランジ１４３の長さによっては、容器１５０の側壁１５２に当接するため、放水装置固定用フランジ１４３が放水装置１００の時計方向への回転に対するストッパーの役割を果たし、放水装置１００は図１に示すような位置に固定される。この場合、放水口１２１は容器１５０の中に向けられている。
【００２９】
以上のように、本実施形態に係る放水装置１００によれば、ユーザは、放水装置１００を容器１５０に対して固定し続ける必要性はなく、図１に示すように、放水装置１００を容器１５０の縁部１５１に係合させておけば、放水口１２１から放水される水は自動的に容器１５０の中に貯められる。このため、ユーザは放水装置１００を容器１５０に対して固定し続けておく時間的ロスを回避することができる。
【００３０】
本実施形態に係る放水装置１００は上記の構造に限定されるものではなく、種々の改変が可能である。
【００３１】
例えば、本実施形態に係る放水装置１００においては、放水装置固定用フランジ１４３はハンドル部１４０ひいては放水装置１００に対して一体的に形成されているが、放水装置固定用フランジ１４３を放水装置１００とは別個に形成し、放水装置１００に対して取り外しが可能であるように取り付けることも可能である。
【００３２】
このように、放水装置固定用フランジ１４３を放水装置１００とは別体に設けることにより、種々の形状または種々の大きさの放水装置固定用フランジ１４３を予め用意しておくことが可能になり、容器１５０の種類、特に、縁部１５１の形状に応じて、最適な放水装置固定用フランジ１４３を選択することができるようになる。
【００３３】
また、本実施形態に係る放水装置１００においては、放水装置固定用フランジ１４３は、図２に示すように、矩形形状をなすものとして形成されているが、放水装置固定用フランジ１４３の形状は矩形形状には限定されない。
【００３４】
図３は放水装置固定用フランジ１４３の形状の一例を示す平面図である。
【００３５】
図３に示すように、放水装置固定用フランジ１４３は、ハンドル部１４０に取り付けられた基端１４３ａから先端１４３ｂに向かうのに伴って幅広になるように形成することができる。このように、放水装置固定用フランジ１４３を幅広になるように形成することにより、放水装置固定用フランジ１４３と縁部１５１との間の係合をより確実なものにすることができる。
【００３６】
（第二の実施形態）
図４は、本考案の第二の実施形態に係る放水装置２００の使用状態を示す側面図（容器に関しては断面図）である。
【００３７】
本実施形態に係る放水装置２００は、第一の実施形態に係る放水装置１００と比較して、放水装置固定用フランジの構造が異なっている。この点を除いて、本実施形態に係る放水装置２００は第一の実施形態に係る放水装置１００と同一の構造を有している。
【００３８】
本実施形態に係る放水装置２００における放水装置固定用フランジ２１０は、図４に示すように、上体部１２０に形成されている。
【００３９】
放水装置固定用フランジ２１０は、ハンドル部１４０が上体部１２０から延びる方向とは反対方向に上体部１２０から延びる第一部分２１１と、第一部分２１１から上体部１２０と平行に、かつ、上体部１２０が延びる方向に延びる第二部分２１２と、から構成されている。
【００４０】
以下、図４を参照して、本実施形態に係る放水装置２００の使用方法を説明する。
【００４１】
本実施形態に係る放水装置２００を容器１５０に対して固定する場合には、上体部１２０と放水装置固定用フランジ２１０の第二部分２１２との間に形成される空間内に縁部１５１を差し込む。この結果、図４に示すように、縁部１５１は上体部１２０の上面と放水第一部分２１１の内面と第二部分２１２の内面とにおいてそれぞれ接触する。
【００４２】
放水装置２００には、縁部１５１が第一部分２１１または第二部分２１２と接触している点を中心として、放水装置１００を時計方向に回転させようとするモーメントＲ（放水装置２００の自重に基づくモーメント）が作用するが、上体部１２０が放水口１２１において容器の１５０の側壁１５２の内面側に当接するため、上体部１２０が放水装置２００の時計方向への回転に対するストッパーの役割を果たし、放水装置２００は図４に示すような位置に固定される。この場合、放水口１２１は容器１５０の中に向けられている状態に維持されている。
【００４３】
以上のように、本実施形態に係る放水装置２００によれば、第一の実施形態に係る放水装置１００と同様に、ユーザは、放水装置２００を容器１５０に対して固定し続ける必要性はなく、図４に示すように、放水装置２００を容器１５０の縁部１５１に係合させておけば、放水口１２１から放水される水は自動的に容器１５０の中に貯められる。このため、ユーザは放水装置２００を容器１５０に対して固定し続けておく時間的ロスを回避することができる。
【００４４】
本実施形態に係る放水装置２００は上記の構造に限定されるものではなく、種々の改変が可能である。
【００４５】
例えば、第一の実施形態に係る放水装置１００と同様に、本実施形態における放水装置固定用フランジ２１０はその第一部分２１１において上体部１２０に対して取り外し可能であるように形成することができる。
【００４６】
また、本実施形態における放水装置固定用フランジ２１０の第二部分２１２は、図３に示した第一の実施形態に係る放水装置１００における放水装置固定用フランジ１４３と同様に、第一部分２１１から先端に向かうのに伴って幅広に形成することもできる。
【００４７】
なお、本実施形態に係る放水装置２００においては、放水装置固定用フランジ２１０はハンドル部１４０には形成されないため、図４に示すように、放水開始・停止ボタン１４１を上体部１２０にまで延ばして形成することが可能である。
【図面の簡単な説明】
【００４８】
【図１】本考案の第一の実施形態に係る放水装置の使用状態を示す側面図（容器に関しては断面図）である。
【図２】本考案の第一の実施形態に係る放水装置における放水装置固定用フランジの形状を示す平面図である。
【図３】本考案の第一の実施形態に係る放水装置における放水装置固定用フランジの形状の一例を示す平面図である。
【図４】本考案の第二の実施形態に係る放水装置の使用状態を示す側面図（容器に関しては断面図）である。
【符号の説明】
【００４９】
１００  本考案の第一の実施形態に係る放水装置
１２０  上体部
１２１  放水口
１３０  ホース
１４０  ハンドル部
１４１  放水開始・停止ボタン
１４２  ホース接続部
１４３  放水装置固定用フランジ
１５０  容器
１５１  縁部
１５２  側壁
２００  本考案の第二の実施形態に係る放水装置
２１０  放水装置固定用フランジ
２１１  第一部分
２１２  第二部分
【図１】
0003133264.tif 000003
【図２】
0003133264.tif 000004
【図３】
0003133264.tif 000005
【図４】
0003133264.tif 000006